(57)【要約】【課題】  レールに孔加工を必要とせず、また、薄型のレールに用いることができ、さらに、レールのいずれの端部においても見栄えを損なうことなく設置できて、しかも、折戸本体の設置に当たって、ピボットをスムーズに且つ確実に凹没部に導入することができる折戸のピボット受け金具を提供する。【解決手段】  本体部２と、本体部２を下レール４外から固定する固定部材３とを下レール４に対して一定の方向に固定して設ける。本体部２は、折戸に設けられた吊元側のピボット１を枢支する凹没部２１と、凹没部２１よりも中央側に位置する凹溝部２２と、凹没部２１よりも吊元側に位置する取着部２３とを備える。取着部２３を端部側に位置させると共に凹溝部２２を中央側に位置させるようにして設置する。取着部２３を、下レール４の一方の端部に設置するための一端部用取着部２３１と、他方の端部に設置するための他端部用取着部２３２とした。【選択図】        図１
2010106473.tif 000002
【特許請求の範囲】
【請求項１】
折戸に設けられた吊元側のピボットを回動自在に枢支する本体部を設けると共に、該本体部を下レール内に位置させた状態で該本体部を下レール外から固定する固定部材を下レールに対して一定の方向に固定して設けることで主体を構成し、前記本体部は、ピボットの下端が嵌まり込むと共にピボットを回転自在に支持する凹没部と、凹没部よりも下レールの中央側に位置して設けられピボット先端を下レール底面から凹没部へ導入する凹溝部と、凹没部よりも下レールの吊元側の端部側に位置して設けられ固定部材に接続される取着部とを備え、本体部の取着部側を下レールの端部側に位置させると共に本体部の凹溝部側を下レールの中央側に位置させるようにして設置される折戸のピボット受け金具であって、前記取着部は、下レールの一方の端部に設置するための一端部用取着部と、下レールの他方の端部に設置するための他端部用取着部と、から成ることを特徴とする折戸のピボット受け金具。
【請求項２】
前記凹没部には、凹溝部が設けられた位置と対向する位置にピボット導入壁を設置して成ることを特徴とする請求項１に記載の折戸のピボット受け金具。
【請求項３】
前記取着部は、下レールに沿う方向に直交する方向の本体部の全長に亘るように設けられた取付溝部を一端部用取着部と他端部用取着部とし、前記固定部材は、基端側を床面に固定する固設部とすると共に先端側を取付溝部に挿通する被取着部とすることを特徴とする請求項１又は請求項２に記載の折戸のピボット受け金具。
【請求項４】
請求項１乃至請求項３のいずれか１項に記載の折戸のピボット受け金具を備えた折戸であって、出入り口の上縁に設けられた上レールと、出入り口の下縁に設けられた下レールと、上レールと下レールとの間に設けられて前記出入り口を開閉自在とする折戸本体と、折戸本体の吊元側の下端部及び戸先側の下端部に設けられて下レールに摺動自在に設けられたピボットと、折戸本体の吊元側の上端部及び戸先側の上端部に設けられて上レールに摺動自在に設けられた上枢支部と、を備え、上レールの吊元側の端部において吊元側の上枢支部を移動不能にして折戸本体を枢支すると共に、吊元側のピボットを上記ピボット受け金具の凹没部に回転自在に支持させて成ることを特徴とする折戸のピボット受け金具を備えた折戸。
【発明の詳細な説明】
【技術分野】
【０００１】
本発明は、収納空間等の出入り口に開閉自在に設置された折戸に設けられたピボットを回動自在に枢支するピボット受け金具、及びこれを備えた折戸に関するものである。
【背景技術】
【０００２】
従来から、収納空間等の出入り口に開閉自在に設置される折戸の吊元に設けられたピボットを枢支するピボット受け具として、例えば、図６のものが知られている。この図６に示すピボット受け具は、収納空間等の出入り口の下縁に設けられた下レールにおける折戸の吊元となる側の端部に配設される。このピボット受け具には、上方に向けて開口する凹没部２１ａが凹設されており、ピボット受け具に設けられたピボット１ａの移動をガイドする凹溝部２２ａを介してレール底面から凹没部２１ａに向けて移動させて、折戸本体の吊元の下端部に突没自在に設けられたピボット１ａを、この凹没部２１ａに嵌め込むことで折戸を設置し、この折戸の吊元を支承するようになっていた。
【０００３】
ところで、このようなピボット受け具を下レールに配設するに当たっては、吊元を枢支する必要があるため、下レール内に取付けられるピボット受け具は移動しないように固定する必要がある。したがって、図６に示すピボット受け具は、レールに対してネジ等の固着具Ｄを用いて固着一体化するようになっていた。
【０００４】
しかしながら、このような取付構造においては、レールに固着具Ｄを挿通するための孔を加工する必要が生ずるため手間が掛かるという問題があり、しかも、レールを取付けた後に孔加工をする必要が生じた場合には、設置状態にあるレールの狭い開口を通して上方からレール底面に対して穿設しなければならず、非常に困難な作業を伴うばかりか、孔加工に伴い発生する切屑をピボット１ａが咬み込んでしまい、ピボット１ａの移動におけるスムーズさを損なってしまうおそれがあるという問題があった。
【０００５】
そこで、これらの問題を解決したピボット受け具として、例えば特許文献１により示すものが知られている。このものは、ピボット受け具をレールへ固定するに際して、回転自在に設けられたボルトの先端に板状のナット部材が螺合されており、レール内にこのピボット受け具を配置した状態でボルトを旋回させることで、レール内面の対向する側面に設けられて互いに内向するように突設された凸縁を、このナット部材とピボット受け具の本体とで挟持して固着するようになっている。
【０００６】
この特許文献１に示すピボット受け具によって、レールへの孔加工が不要となり、作業現場における作業効率を改善することができたが、その一方で、レール内部に突設した凸縁が必要になる点、及び、ある程度の厚みを備えた板状のナット部材がレール内に必要になる点、の２点によってレール内の上下高さが必要となってしまう。このため、このようなピボット受け具は、上下高さの低いレール（すなわち、薄いレール）に対しては使用することができないという問題があった。
【０００７】
そこで、図７に示すようなピボット受け具が考えられた。このピボット受け具は、レール側方の床面に固定して設けるものである。このようにすれば、レールに対して孔加工をする必要が無いばかりか、上下高さの低いレール（すなわち、薄いレール）に対しても使用することができ、しかも、使用者の要求に応じて作業現場において折戸本体の吊元の位置を決定することができるという利点を有している。
【０００８】
ところで、このようなピボット受け具にあっては、レール側方の床面に固定部位が位置するようになっており、レール内部に隠れるようになっていないため、固定部位を外観上目立たない位置に設けなければ見栄えに劣るという問題が生じる。つまり、例えば、クローゼットのような収納空間に折戸を配設する場合にあっては、その収納空間内部側にその固定部位を位置させ、居住空間側にはその固定部位が見えないようにすることで、外観の良好さを損なわないようにしていた。
【０００９】
そのため、固定部位をレールに対して一定の側方に（つまり、目立たない側に）位置させつつ、レールの端部のいずれにおいても設置できるようにするために、ピボットの下端を凹没部２１ｂに導入するための凹溝部２２ｂを凹没部２１ｂの両側に設ける必要がある。しかも、この凹溝部２２ｂは長さを長くしてその傾斜を緩くすれば、ピボットを凹没部２１ｂにスムーズに導入することができるため、この凹溝部２２ｂの長さを長く形成することが望ましいものであった。
【００１０】
しかしながら、レールの端部からその端部に対向する壁面との隙間を長く設けると、折戸を設置した場合に、折戸本体の吊元のある端部と、その端部に対向する壁面との間に隙間が生じてしまうため、そのレールの端部とその端部に対向する壁面との距離を長く設けることができない。つまり、このようなピボット受け具の凹溝部２２ｂを長く形成すると、ピボットをスムーズに導入することができる反面、レールの端部からその端部に対向する壁面にかけて大きな隙間が生じてしまうという問題があった。
【００１１】
さらに、このピボット受け具の凹没部２１ｂにピボットの下端を嵌め込む際に、折戸本体をレール中央側から凹没部２１ｂに向けて勢いよく移動させたり、ピボットが傾いてしまったりしていた場合には、ピボットが凹没部２１ｂの上方を越えてしまい、ピボットを確実に凹没部２１ｂに嵌め込むことができないという問題が存在していた。
【特許文献１】特開平１０−２３１６５５号公報
【発明の開示】
【発明が解決しようとする課題】
【００１２】
本発明は、上記従来の問題に鑑みてなされたものであり、その目的とするところは、レールに孔加工を必要とせず、また、薄型のレールに用いることができ、さらに、レールのいずれの端部においても見栄えを損なうことなく設置できて、しかも、折戸本体の設置に当たって、ピボットをスムーズに且つ確実に凹没部に導入することができる折戸のピボット受け金具を提供することにある。
【課題を解決するための手段】
【００１３】
上記課題を解決するために請求項１に係る発明にあっては、折戸に設けられた吊元側のピボット１を回動自在に枢支する本体部２を設けると共に、該本体部２を下レール４内に位置させた状態で該本体部２を下レール４外から固定する固定部材３を下レール４に対して一定の方向に固定して設けることで主体を構成し、前記本体部２は、ピボット１の下端が嵌まり込むと共にピボット１を回転自在に支持する凹没部２１と、凹没部２１よりも下レール４の中央側に位置して設けられピボット１先端を下レール４底面から凹没部２１へ導入する凹溝部２２と、凹没部２１よりも下レール４の吊元側の端部側に位置して設けられ固定部材３に接続される取着部２３とを備え、本体部２の取着部２３側を下レール４の端部側に位置させると共に本体部２の凹溝部２２側を下レール４の中央側に位置させるようにして設置される折戸のピボット受け金具であって、前記取着部２３は、下レール４の一方の端部に設置するための一端部用取着部２３１と、下レール４の他方の端部に設置するための他端部用取着部２３２と、から成ることを特徴とするものである。
【００１４】
このように構成したことで、レールに孔加工を施さなくてもピボット受け金具Ａを固定することができるうえに、このピボット受け金具Ａの固定部材３を、収納空間側といった目立たない部位に配設しながら、折戸の吊元を下レール４の一方の端部か若しくはその他方の端部かを選択して、いずれの吊元を選択した場合であっても、一つのピボット受け金具Ａで設置することができる。しかも、このピボット受け金具Ａは、薄型のレールに対しても設置することができる。
【００１５】
また、請求項２に係る発明にあっては、請求項１に係る発明において、前記凹没部２１には、凹溝部２２が設けられた位置と対向する位置にピボット導入壁６を設置して成ることを特徴とするものである。
【００１６】
このように構成したことで、請求項１に係る効果に加えて、確実にピボット１を凹没部２１に導入することができる。
【００１７】
また、請求項３に係る発明にあっては、請求項１又は請求項２に係る発明において、前記取着部２３は、下レール４に沿う方向に直交する方向の本体部２の全長に亘るように設けられた取付溝部２３ａを一端部用取着部２３１と他端部用取着部２３２とし、前記固定部材３は、基端側を床面に固定する固設部３１とすると共に先端側を取付溝部２３ａに挿通する被取着部３２とすることを特徴とするものである。
【００１８】
このように構成したことで、請求項１又は請求項２の効果に加えて、簡単な構成の固定部材３とすることができる。
【００１９】
また、請求項４に係る発明にあっては、請求項１乃至請求項３のいずれか１項に記載の折戸のピボット受け金具Ａを備えた折戸であって、出入り口の上縁に設けられた上レール５と、出入り口の下縁に設けられた下レール４と、上レール５と下レール４との間に設けられて前記出入り口を開閉自在とする折戸本体７と、折戸本体７の吊元側の下端部及び戸先側の下端部に設けられて下レール４に摺動自在に設けられたピボット１と、折戸本体７の吊元側の上端部及び戸先側の上端部に設けられて上レール５に摺動自在に設けられた上枢支部８と、を備え、上レール５の吊元側の端部において吊元側の上枢支部８を移動不能にして折戸本体７を枢支すると共に、吊元側のピボット１を上記ピボット受け金具Ａの凹没部２１に回転自在に支持させて成ることを特徴とするものである。
【００２０】
このように構成したことで、請求項１乃至請求項３に係る効果に加えて、下レール４に薄型のレールを使用する折戸を提供することができるので、下レール４が床面から上方に突出するのを極力少なくできる。また、折戸を設置するに当たり、煩わしい作業を伴うことなく、簡単な作業で折戸本体７の吊元において、枢支して設置することができる。
【発明の効果】
【００２１】
本発明によれば、折戸の良好な外観を保ちつつ、折戸を出入り口に設置するに当たっての作業効率を向上させることができる。また、薄型のレールを使用することで、この下レールを床面に埋設することも可能となり、バリアフリー住宅にも対応することが可能となるものである。
【発明を実施するための最良の形態】
【００２２】
以下、本発明について添付図面に基づいて説明する。
【００２３】
本発明の実施例は図５に示すように、部屋に設けられたクローゼット等の収納空間の出入り口に折戸が開閉自在に設けられている。
【００２４】
この折戸は、収納空間の出入り口の上縁に配設される上レール５と、出入り口の下縁に設けられた下レール４と、これらの上レール５と下レール４との間に設けられた折戸本体７と、を備えており、戸先及び吊元の折戸本体７の下端部に設けられたピボット１と、戸先及び吊元の折戸本体７の上端部に設けられた上枢支部８とを、それぞれ上下の各レール４，５に嵌め込むことで、ピボット１及び上枢支部８がレール４，５を摺動自在に移動できるように設置されている。そして、折戸本体７の吊元となる上端部及び下端部を、レール４，５に沿って移動できないように規制し且つ回動自在になるように設けられている。
【００２５】
下レール４の吊元側の端部には、折戸本体７にある吊元に設けられたピボット１の下端を支承し且つ移動しないようにするピボット受け具Ａが設置される。
【００２６】
このピボット受け具Ａは、図１（ａ）（ｂ）に示すように、本体部２と、この本体部２を下レール４外の床面に固定する固定部材３とから成っている。ピボット受け具Ａは、本体部２の長手方向を下レール４に沿うようにして設置してあり、固定部材３を下レール４の端部の側方に位置するようにして設置されている。なお以下、本体部２において固定部材３が設置されている側をレール端部側とし、本体部２において固定部材３が設置されていない側をレール中央側として説明し、このときの下レール４に沿う方向に対して直角な方向を前後方向として説明する。
【００２７】
本体部２は、ピボット１の下端が嵌まり込むと共にピボット１を回転自在に支持する凹没部２１と、下レール４に沿って移動可能なピボット１の先端を下レール４底面から凹没部２１へ導入する凹溝部２２と、固定部材３に接続される取着部２３とを備えている。凹没部２１から下レール４中央側に向けて凹溝部２２が連設されると共に、凹没部２１よりも下レール４端部側に取着部２３が形成されている。つまり、凹溝部２２、凹没部２１、取着部２３がこの順に、一直線上に並んで形成されている。さらに言えば、本体部２は下レール４に沿う方向に対称軸Ｊをとるようにして略線対称の形状に形成されている。
【００２８】
凹没部２１は、下レール４に沿う方向における本体部２の略中央に形成されており、本体部２の前後方向（つまり、下レール４に沿う方向に対して直角な方向）においても略中央に形成されている。この凹没部２１は円形に形成されており、折戸本体７にあるピボット１の下端がこの凹没部２１に嵌まり込んでも、ピボット１が回転自在となるようになっている。さらに、凹没部２１の周縁のうち凹没部２１と凹溝部２２の連設部位と対向する部位に（すなわち、凹没部２１の下レール４端部側に）ピボット導入壁６が突設されている。本実施形態においては、図１（ａ）及び図２（ａ）に示すように、凹没部２１における凹没部２１と凹溝部２２の連設部位とは対向する側の略半周縁に亘ってピボット導入壁６としての凸壁６１が突設されている。
【００２９】
凹溝部２２は、ピボット１がその上面を摺動して移動し且つ傾斜面で形成される底面部２２１と、下レール４に沿うようにして設けられて且つ底面部２２１両端に上方に向けて突設された突片部２２２とを備えており、底面部２２１が突片部２２２よりも下レール４中央側に突出して長く設けられている。また、突片部２２２の下部には凹段部２２３が形成されている。これにより、底面部２２１は下レール４に嵌まり込むことができると共に、凹段部２２３の上面（すなわち、突片部２２２の下面）が下レール４外面の上面に載置されるようにして設置される。つまり、突片部２２２は下レール４外面の上面に沿うようにして載設されるようになっている。この底面部２２１の先端（下レール４中央側）は、下レール４に設置した状態で、下レール４の底面に滑らかに連続するように鋭角に形成されており、先端から凹没部２１にかけては、凹没部２１に近づく程上下高さが高くなるような傾斜面にて形成されている。
【００３０】
取着部２３は、本体部２における前後方向の全長に亘って形成される取付溝部２３ａから成っており、この取付溝部２３ａの一方の半部を一端部用取着部２３１とすると共に、その他方の半部を他端部用取着部２３２としている。また、取付溝部２３ａの前後方向の略中間部には、固着具挿通穴Ｈが穿設されている。
【００３１】
このような本体部２に設置される固定部材３は、基端側を床面に固定する固設部３１とし、その固設部３１の前後方向の下レール４に近い側の端部から上方にむけて縦壁片３３が突設されており、その縦壁片３３の突出先端から固設部３１の設置されている方向とは反対側に向けて被取着部３２が形成されている。この被取着部３２は、本体部２に形成された取付溝部２３ａに嵌まるように形成されており、しかもその先端には、取付溝部２３ａに設けられた固着具挿通穴に対応する位置にＵ溝部３４が形成されている。さらに言えば、固設部３１には、長孔から成る一端部吊元用取付孔３１１と他端部吊元用取付孔３１２が並設されており、一端部吊元用取付孔３１１と他端部吊元用取付孔３１２の略中間部位に、前後方向にずれて共用取付孔３１３が穿設されている。
【００３２】
叙述のごとく形成されたピボット受け具Ａは、出入り口の下縁に設けられた下レール４に装着される。この下レール４と、出入り口の上縁に設けられた上レール５は、アルミニウム押出型材にて成形されている。この上下レール４，５は、一方の面（下レール４においては上面、上レール５においては下面）を開放した断面略コ字形状に形成されており、上レール５においては、その開放端部には突縁Ｔが互いに向き合うようにして対向して設けられている。
【００３３】
一方、この上下レール４，５の間に配設される折戸本体７は、図５に示すように、第１戸板７１と第２戸板７２とが一側端縁においてヒンジを介して折曲可能に連結されており、互いに回動自在に形成されている。第１戸板７１のヒンジを介した連結部の反対側の端部の下部には第１戸板側ピボット１１が形成され、第１戸板７１のヒンジを介した連結部の反対側の端部の上部（すなわち、第１戸板側ピボット１１の上方）には、第１戸板側上枢支部８１の一部を成す第１戸板側取付凹部８２が形成されている。さらに、第２戸板７２のヒンジを介した連結部の反対側の端部の下部には、第２戸板側ピボット１２が形成され、第２戸板７２のヒンジを介した連結部の反対側の端部の上部（すなわち、第２戸板側ピボット１２の上方）には、第２戸板側上枢支部８３の一部を成す第２戸板側取付凹部８４が形成されている。
【００３４】
第１戸板側ピボット１１及び第２戸板側ピボット１２は共に、円柱形状の円柱部１３と、円柱部１３の上端に設置された鍔部１４とで構成されており、この円柱部１３は本体部２の凹没部２１に回動自在に嵌まり込む径にて形成されている。また、このピボット１は突没自在（上下動自在）に構成されているうえに、下方（すなわち、第１戸板や第２戸板の下端から離れる方向）に向けて、ばね等の弾性体の付勢力により付勢されており、下レール４の底面に対して円柱部１３の下面が弾接するように形成されている。一方、第１戸板側取付凹部８２及び第２戸板側取付凹部８４は共に、上レール５内に摺動自在に装着される上枢支部８の一構成部材を成すランナー８５に取り付けられることによって、設置されるようになっている。
【００３５】
この上レール５内に装着されるランナー８５は、図４（ａ）に示すように、ランナー本体８５１と、上レール５の内部の下面（すなわち、突縁Ｔの裏面）上を移動自在とするローラー部８５２と、ランナー本体８５１の略中間部に設けられ軸方向に回転自在に設けられた吊下部８５３と、ランナー本体８５１の端部に設けられた嵌合突出部８５４とで構成されており、この嵌合突出部８５４の上部には凹み部８５５が設けられている。
【００３６】
ランナー８５のうち吊元側にあるランナー８５は、上レール５における吊元側の端部で移動できないように固定されるのであるが、その上レール５における吊元側の端部には、ランナー固定部材９が設置されている。
【００３７】
このランナー固定部材９は、図４（ｂ）に示すように、断面略コ字形状で形成されており、ランナー８５の嵌合突出部８５４が嵌入する被嵌合部９１と、ランナー固定部材９を上レール５に挟持固定する固定板部９２とが設けられている。被嵌合部９１には、ランナー８５の嵌合突出部８５４の抜け止めのための係止部９３が被嵌合部９１の上部から下方に向けて突設されており、この被嵌合部９１にランナー８５の嵌合突出部８５４が嵌入した際にランナー８５に設けられた凹み部８５５に係止するようになっている。また、固定板部９２は、ランナー固定部材９内部に設けられねじ部９４を螺刻した軸部９５に螺合して設置してあり、下方からドライバー等の工具によって軸部９５を旋回させることによって、固定板部９２が上下動自在になるように設置されている。さらに、固定板部９２の下方にはストッパ部９６が設けられており、この固定板部９２を下方に移動させたときに、該固定板部９２とストッパ部９６とで挟持固定することができるようになっている。
【００３８】
このように構成された折戸を設置するには、以下の手順によって行なわれる。
【００３９】
まず、部屋に設けられたクローゼット等の収納空間の出入り口を形成する開口の周縁の大きさに合わせた矩形状の枠木を設置する。そして、上レール５内にランナー８５をランナー本体８５１に設けられた嵌合突出部８５４が互いに上レール５端部を向くようにして２つ挿入する。このようにランナー８５を内部に収容した状態の上レール５を、その枠木の上縁に埋設する。また、出入り口の下縁に（ランナー８５の配設していない）下レール４を埋設して設置する。
【００４０】
上レール５の吊元側の端部には、ランナー固定部材９を固設する。ランナー固定部材９の固定板部９２を、上レール５の開口から挿通できるように回動させた状態で、上レール５の開口（対向する突縁Ｔ間の隙間）を通して上方に向けて挿通する。その後、ランナー固定部材９の下方から、ドライバー等の工具によってランナー固定部材９に設けられた軸部９５を旋回し、固定板部９２とストッパ部９６とで上レール５の突縁Ｔを挟持することで、上レール５に対してランナー固定部材９を固設する。
【００４１】
次に、下レール４の吊元側となる端部に本発明のピボット受け具Ａを設置する。このピボット受け具Ａを設置するに当たっては、ピボット受け具Ａの本体部２における取着部２３を、吊元側の下レール４端部側に位置させると共に、本体部２の凹溝部２２側を下レール４の中央側に位置させるようにして、下レール４の開口を通して下レール４の底面に本体部２の裏面が当接するように設置される。そして本体部２を下レール４内に載置した後に、固定部材３の被取着部３２をピボット受け具Ａの取付溝部２３ａから成る一端部用取着部２３１に挿通したうえで、固定部材３の固設部３１を床面に固定する。この固設部３１は、収納空間側の床面（下レール４の端部のうちいずれの端部を吊元側とした場合であっても収納空間側の床面、すなわち、下レール４に対して一定の方向）に固設することが好ましい。このように下レール４に対して一定の方向（平面視で下レール４に対して直交、又は略直交する方向で、且つ、下レール４により分けられる前後の床面のうち、いずれか一方の床面）に固設部３を設置することで、リビング等の居住空間側から固設部３１が見えないようにでき、外観の良好さを損なわないように設置することができる。なお、床面に固設部３１を固着するに当たっては、ねじのような固着具を用いて固設するが、図１（ａ）（ｂ）のようにレール４，５の端部には壁面Ｗが立設されている場合が多い。通常この場合、壁面Ｗとドライバー等の工具が干渉して作業効率を低下させてしまうが、本実施例では、固設部３１に一端部吊元用取付孔３１１と他端部吊元用取付孔３１２とを穿設してあり、共用取付孔３１３と共に壁面Ｗに遠い方の一端部吊元用取付孔３１１を使用することで、壁面Ｗと工具との間隔を設けることができ、その結果、工具を使用する場合であっても壁面Ｗと工具が干渉することなく、作業効率を低下させることがないという利点も有している。
【００４２】
このように、ピボット受け具Ａの本体部２に固定部材３を設置した後に、さらに、固定部材３の被取着部３２の先端に形成されているＵ溝部３４に、ねじのような固着具を挿通し、本体部２と固定部材３とを螺合して強固に固定する。
【００４３】
次に、折戸本体７を上下レール４，５の間に設置する。折戸本体７を設置するに当たって、作業し易い出入り口の中央にて作業する。まず、折戸本体７の下端に設けられたピボット１を、下レール４の開口に向けて挿通して設置する。そして、上レール５に取付けてある２つのランナー８５を中央に手繰り寄せ、そのランナー８５の吊下部８５３に、折戸本体７の上端に設けられた第１戸板側取付凹部８２及び第２戸板側取付凹部８４をそれぞれ設置する。このように、この折戸本体７に設けられた取付凹部８２，８４とランナー８５とから成る各枢支部８１，８３と、各ピボット１１，１２により、上下レール４，５の間に折戸本体７がレール４，５に沿って摺動自在に設置される。
【００４４】
このように摺動自在に設置された折戸本体７をレール４，５の吊元側に移動させて押し込むことで、折戸本体７のピボット１がピボット受け具Ａに設置されると共に、上枢支部８の移動が規制されて、折戸が完成する。
【００４５】
詳しく説明すると、下レール４においては、折戸本体７の下端に設けられた第１戸板側ピボット１１が下レール４底面に弾接した状態を保ったままで、レール吊元側へ折戸本体７を移動し続けると、下レール４の吊元側の端部に設けられたピボット受け具Ａの凹溝部２２の先端に差し掛かる。下レール４の底面と凹溝部２２とは滑らかに連続しているから、第１戸板側ピボット１１が下レール４の底面から凹溝部２２へと引っ掛ることなくスムーズに移動する。このとき、凹溝部２２は凹没部２１（すなわちレールの吊元側の端部側）に近づく程高くなるように傾斜を有しているから、第１戸板側ピボット１１は吊元側に移動するにつれ、凹溝部２２によって上方に押圧され、その付勢力に抗するようにして第１戸板側ピボット１１が押し上げられる。そのまま、折戸本体７をレールの吊元側の端部に向けて移動をし続けると、凹没部２１に差し掛かったときに、第１戸板側ピボット１１が下方への付勢力に従って凹没部２１に向けて押し下げられ、同時に、第１戸板側ピボット１１が凹没部２１に嵌入することになる。
【００４６】
このとき、仮に勢いよく折戸本体７をレールの吊元側の端部に向けて移動させた場合であっても、ピボット導入壁６が設置されているため、第１戸板側ピボット１１がピボット導入壁６に当接し、ピボット１が凹没部２１を乗り越える事態が生じない。つまり、確実に第１戸板側ピボット１１を凹没部２１に嵌め込むことができるようになっている。
【００４７】
また、上レール５においては、下レール４において第１戸板側ピボット１１が凹没部２１に嵌まり込むのと同時に、上レール５の吊元側にあるランナー８５が、上レール５の吊元側の端部に固設されたランナー固定部材９に固着される。詳しくは、ランナー８５が上レール５内を走行することで、折戸本体７が吊元側に移動し、そのまま移動を継続すると、ランナー８５の端部に設けられた嵌合突出部８５４がランナー固定部材９の被嵌合部９１の係止部９３に当接する。その位置から折戸本体７をさらに押し込むと、嵌合突出部８５４が被嵌合部９１の係止部９３を上方に押し上げ、その後、この嵌合突出部８５４の上部に設けられた凹み部８５５に係止部９３が係止され、ランナー８５が固定される。
【００４８】
上述したような下レール４に配設されたピボット受け具Ａは、吊元を上述したレール一端部側とは反対側の他端部とした場合であっても、同様に設置可能である。つまり、ピボット受け具Ａの本体部２は、上述した設置状態とは１８０°回転させることになるが、このピボット受け具Ａは線対称に形成されているため、同様に設置することができる。しかも、本体部２の取着部２３を、本体部２の前後方向に亘るような取付溝部２３ａとし、その一方の半部を一端部用取着部２３１とすると共に、その他方の半部を他端部用取着部２３２としているから、固定部材３の被取着部３２を一端部用取着部２３１の反対側の半部である他端部用取着部２３２に取り付けるだけで、ピボット受け具Ａの本体部２を１８０°回転して設置し、且つ、固定部材３を収納空間側といった目立たない側の床面に固設することができる。さらに、固定部材３を固設するに当たっても、共用取付孔３１３と他端部吊元用取付孔３１２とを使用すれば、工具を使用する際に壁面Ｗと干渉して作業効率が低下することも防止できる。
【００４９】
このように、固定部材３を収納空間側の床面（平面視で下レール４に対して直交、又は略直交する方向で、且つ、下レール４により分けられる前後の床面のうち、目立たない側の床面）に設けるようにしているため、折戸の外観の良好さを損なわないばかりか、下レール４に孔加工を施す必要も無い。しかも、レール内における高さを必要としないので、高さの低い（薄い）レールに対しても使用できる。つまり、出入り口における枠木による突出高さを低くすることができたり、床面に直接下レール４を埋設して、床面と下レール４の上面とを面一状にしたりすることができる。その結果、いわゆるバリアフリー仕様にも対応することができる。
【００５０】
また、本発明の構成によれば凹溝部２２を長く形成できるので、その底面部２２１の傾斜を緩やかなものとすることができ、その結果、ピボット１の移動におけるスムーズさを損なわず、簡単且つ容易にピボット１を凹没部２１に導入することができる。
【００５１】
以上、本発明に係る折戸を、いわゆる片開き構造の折戸を用いて説明したが、特に限定されるものではなく、本発明のピボット受け具Ａを、折戸本体７を左右一対の両開き構造としたものに適用することができるのは勿論のことである。
【００５２】
なお、ピボット受け具Ａは、本体部２及び固定部材３を、共に金属から成る金具で形成してもよいし、本体部２を樹脂で形成してもよく、特に限定されない。また、上枢支部８の構成は特に本実施例のものに限定されるものではない。
【００５３】
また、本実施例のピボット１は、円柱部１３と鍔部１４とで構成されているが、円柱部１３だけで構成されていてもよく、特に限定されるものではない。さらに言えば、本実施例では、円柱部１３の下端が下レール４の底面に弾接するように設置されているが、鍔部１４の下面が下レール４の上面に弾接し、且つ、円柱部１３と下レール４の底面に僅かに隙間が生じるように構成してもよい。そうすれば、凹溝部２２の先端と下レール４の底面に僅かに段差が生じた場合であっても、ピボット１がスムーズに凹溝部２２に乗り上げることができるようになる。
【図面の簡単な説明】
【００５４】
【図１】本発明の一実施形態を示しており（ａ）は上面図であり、（ｂ）は側面図である。
【図２】同上の本体部を説明する図であり（ａ）は上面図であり、（ｂ）は側面図である。
【図３】同上の固定部材を説明する図であり（ａ）は上面図であり、（ｂ）は側面図である。
【図４】同上の上枢支部の一構成部材を説明する図であり、（ａ）はランナーの側面図であり、（ｂ）はランナー固定部材の側面図である。
【図５】同上の折戸の全体斜視図である。
【図６】従来のピボット受け具の側断面図である。
【図７】従来のピボット受け具の斜視図である。
【符号の説明】
【００５５】
１      ピボット
２      本体部
２１    凹没部
２２    凹溝部
２２１  底面部
２２２  突片部
２３    取着部
２３ａ  取付溝部
２３１  一端部用取着部
２３２  他端部用取着部
３      固定部材
３１    固設部
３１１  一端部吊元用取付孔
３１２  他端部吊元用取付孔
３１３  共用取付孔
３２    被取着部
３４    Ｕ溝部
４      下レール
６      ピボット導入壁
６１    凸壁
Ｈ      固着具挿通孔
Ｗ      壁面
【図１】
2010106473.tif 000003
【図２】
2010106473.tif 000004
【図３】
2010106473.tif 000005
【図４】
2010106473.tif 000006
【図５】
2010106473.tif 000007
【図６】
2010106473.tif 000008
【図７】
2010106473.tif 000009